(57)【要約】      （修正有）【課題】遊技者に飽きられることなく興味が持続する役物を提供する。【解決手段】遊技機の役物２０であって、停止指令に応じて第１及び第２揺動体４１，４２の各々を待機位置に固定するストッパ７１，７２と、遊技盤を流下して入賞した遊技球を第１揺動体４１が位置する場合の第１載置台に向けて案内する第１案内部３１と、第１及び第２待機位置とは反対側の最揺動位置の近傍に配置された第１及び第２衝突部５１，５２と、第１衝突部５１と第２待機位置との間に配置されて、前記第１衝突部の近傍に到来した遊技球を前記第２待機位置の近傍にまで案内する第２案内部３２と、第２衝突部の近傍に配置されたＶゾーン部３５と、揺動体の揺動運動を助成する助成装置と、ストッパの第１及び第２揺動体に対する固定動作の解除をなし、かつ助成装置の助成動作を指令する制御部と、を含んでいる。【選択図】図２
2008142450.tif 000002
【特許請求の範囲】
【請求項１】
遊技機の役物であって、
遊技機の遊技盤上に揺動自在に配置されかつ各々の先端に遊技球の第１及び第２載置台を有する第１及び第２の揺動体と、
停止指令に応じて前記第１及び第２揺動体の各々を第１及び第２待機位置に固定するストッパと、
前記遊技盤を流下して入賞した遊技球を前記待機位置に前記第１揺動体が位置する場合の前記第１載置台に向けて案内する第１案内部と、
前記第１及び第２待機位置とは反対側の前記第１及び第２揺動体の最揺動位置の近傍に配置された第１及び第２衝突部と、
前記第１衝突部と前記第２待機位置との間に配置されて、前記第１衝突部の近傍に到来した遊技球を前記第２待機位置の近傍にまで案内する第２案内部と、
前記第２衝突部の近傍に配置されたV ゾーン部と、
前記第１及び第２揺動体の揺動運動を助成する助成装置と、
前記ストッパの前記第１及び第２揺動体に対する固定動作の解除をなしかつ前記助成装置の助成動作を指令する制御部と、を含むことを特徴とする遊技機の役物。
【請求項２】
前記遊技盤を流下して入賞した遊技球を第１案内部及び第２案内部のいずれか一方に向けて案内する振り分け部を更に有することを特徴とする請求項１記載の遊技機の役物。
【請求項３】
前記第１及び第２揺動体の揺動範囲に亘って延在する平面光源を更に有することを特徴とする請求項１又は２記載の遊技機の役物。
【請求項４】
前記第１及び第２揺動体は、前記遊技盤の裏側に配置されかつ少なくとも前記揺動範囲に対応する領域において前記遊技盤が透明である、ことを特徴とする請求項３記載の遊技機の役物。
【発明の詳細な説明】
【技術分野】
【０００１】
本発明は、揺動体を用いた役物に関し、特に遊技球の積載部を有する揺動体を用いた役物に関する。
【背景技術】
【０００２】
パチンコ遊技機は、その遊技内容により第一種、第二種及び第三種に分類されている。第二種パチンコ機は、遊技盤上の始動入賞口に遊技球が入賞したことを契機としてセンター役物の羽根が開閉し、羽根の開状態のときに、その部分を通り抜けてセンター役物内に入った遊技球が、更に特定の領域（いわゆるＶゾーン）を通過した場合に遊技者に有利な特別遊技状態に移行するように構成されている。
【０００３】
かかる第二種パチンコ機においては、遊技中の演出効果を高めるために、センター役物内に種々の役物装置が設置されている。例えば、特許文献1には、役物装置として振り子状に揺動せしめられる装飾体が開示されている。
【特許文献１】特開2003-236086号公報
【発明の開示】
【発明が解決しようとする課題】
【０００４】
しかしながら、特許文献1に示す役物装置は、入賞時等の特定のタイミングに応じて単に揺動するのみであるため、当初は興味を引くものであったとしても、遊技を続けていくうちに次第に遊技者に飽きられてしまうおそれがあった。
【０００５】
本発明は、以上の如き事情に鑑みてなされたものであり、遊技者に飽きられることなく興味が持続する役物を提供することを目的としている。
【課題を解決するための手段】
【０００６】
遊技機の役物であって、遊技機の遊技盤上に揺動自在に配置されかつ各々の先端に遊技球の第１及び第２載置台を有する第１及び第２の揺動体と、停止指令に応じて前記第１及び第２揺動体の各々を第１及び第２待機位置に固定するストッパと、前記遊技盤を流下して入賞した遊技球を前記待機位置に前記第１揺動体が位置する場合の前記第１載置台に向けて案内する第１案内部と、前記第１及び第２待機位置とは反対側の前記第１及び第２揺動体の最揺動位置の近傍に配置された第１及び第２衝突部と、前記第１衝突部と前記第２待機位置との間に配置されて、前記第１衝突部の近傍に到来した遊技球を前記第２待機位置の近傍にまで案内する第２案内部と、前記第２衝突部の近傍に配置されたV ゾーン部と、前記第１及び第２揺動体の揺動運動を助成する助成装置と、前記ストッパの前記第１及び第２揺動体に対する固定動作の解除をなしかつ前記助成装置の助成動作を指令する制御部と、を含むことを特徴とする。
【発明の実施の形態】
【０００７】
以下、本発明の実施例による遊技装置について、添付図面を参考しつつ詳細に説明する。
【０００８】
図1は本発明の実施例である役物を含む遊技装置100の正面図である。遊技装置100は、いわゆるホール等の遊技場所の所定位置に設置される縦長長方形状の本体外枠1からなる。本体外枠1の前面には、ガラス板が装着されたガラス枠2が開閉自在に装着されている。また、本体外枠1の前方下部には、遊技球を貯留する受け皿3、遊技球の打ち出し強さを調整する操作ハンドル4、及び灰皿5等が設けられた下部扉6が開閉自在に装着されている。また、本体外枠1の上部には、効果音等を発するスピーカ7や遊技状態に応じて発光する電飾装置8が設けられている。
【０００９】
ガラス枠2の後方には、遊技盤9が設けられている。遊技盤9上にはガイドレール10が敷設されており、かかるガイドレール10によって遊技領域9ａが囲繞されている。
【００１０】
遊技領域9ａの略中央部に、センター役物20が設けられており、その周りには、一般入賞口（図示せず）や特定入賞口11等の入賞口、及び遊技球の流下方向を変化せしめる図示しない遊技釘や風車が設けられている。遊技領域９ａの最下部には入賞しなかった遊技球を回収するアウト口12が設けられている。
【００１１】
次に、センター役物20の構造について詳細に説明する。図2はセンター役物20を示す正面図である。
【００１２】
センター役物20は、その左右両側に羽根21、22を有しており、特定入賞口11に遊技球が入賞することによって、図２の点線21'、22'に示すように羽根21、22が開状態になったときは、遊技盤面を流下してきた遊技球は羽根21、22によって塞がれていた開口部Ａ1、Ａ2を通過してセンター役物20内に入ることが可能となる。
【００１３】
センター役物20には振り分け部39が設けられており、開口部Ａ1、Ａ2を通り抜けてセンター役物20内に入ってきた遊技球は、振り分け部39によって後述する第１案内部若しくは第２案内部のいずれかに振り分けられる。振り分け部39は、センター役物20の左右に設けられている開口部Ａ1、Ａ2を通り抜けてセンター役物20内に入ってくる遊技球のいずれか若しくは両方を受け入れる受入れ部39aと、受け入れ部39aの出口において第１案内部若しくは第２案内部のいずれかに振り分ける分岐部39bと、分岐部39bの下流に設けられて第１案内部及び第２案内部まで送り届ける樋状の傾斜した通路39cと、によって構成される。図２においては、分岐部39bは固定された楔状の部材として示されているが、これに限定されるわけではなく、所定のタイミングで揺動する揺動片であっても良い。振り分け部39によって第１案内部側に振り分けられた遊技球は、第１案内部31に導かれる。一方、振り分け部39によって第２案内部側に振り分けられた遊技球は、第２案内部32に導かれる。
【００１４】
第１案内部31は、振り分け部39の第１案内部側下流に設けられており、樋状の傾斜した通路によって構成される。第１案内部31内若しくはその近傍には、遊技球の通過を検出する光センサ等の通過検出器81が設けられている。第１案内部31に導かれてきた遊技球は後述する待機位置にて待機中の第１揺動体に向けて案内される。
【００１５】
第１案内部31の下流には第１揺動体41が設けられており、第１案内部31を通過した遊技球は、第１揺動体41に載置される。第１揺動体41は、剛性を有する部材からなる長尺状の長手部材41aと、その一端に取り付けられた載置台41bとからなる。長手部材41aと載置台41bとは別々に作成された後、組み合わせられても良いし、プラスチック成型等によって一体成型されても良い。長手部材41aの他端は軸受部が形成されており、かかる軸受部に遊技盤に対して略垂直に植設されている回動軸が軸通している。これにより第１揺動体41は軸受部を中心として揺動自在となる。通常の遊技状態では、第１揺動体41は第１案内部31に隣接するように左端側または右端側のいずれかの待機位置に、後述するストッパによって停止せしめられた状態になっており、よって第１案内部31によって案内された遊技球は円滑に載置台41bの上に載置される。
【００１６】
載置台41bの上面は、例えば図３Ａ及びＢに示すような樋状の溝部Pや半球状のくぼみ部Q等によって凹形状に形成されているのが好ましい。これによって、第１案内部31を経て送られてきた遊技球がより円滑に載置台41b上に載置され、且つ第１揺動体41の揺動によって一方から他方に運搬される間に載置台41bから落下しにくくなる。更に載置台41bには、待機位置にて待機中及び揺動途中においては遊技球が載置台41bから落下するのを制止しつつ後述する衝突部との衝突の際には遊技球の載置台41bからの飛び出しの障害にはならない係留機構44が設けられるのが好ましい。
【００１７】
図４Ａ及びＢは、かかる係留機構44が具備されている載置台41bの斜視図であり、図４Ａは待機位置での係留機構44の姿勢が示されており、図４Ｂは衝突の際の姿勢が示されている。図４Ａから判るように、係留機構44は載置台41bの両側面から突出した回動軸44aに回動自在に枢支されている。係留機構44の両端には載置台41bから遊技球が揺動方向に飛び出るのを制止する第１係留片44b及び第２係留片44cが設けられている。また、係留機構44の中央部には、係留機構44を載置台41bの傾斜状態に応じて回動せしめるための錘44dが下向きに設けられている。一方、載置台41bには係留機構44の回動範囲を規制する回動規制部45、46が設けられており、これにより、第１揺動体41が図４Ａの如く待機位置に存在しているときは、錘44dの重量により係留機構44は回動規制部45に当接した状態で停止する。すなわち、このとき第１係留片44bは載置台41bの上面より上方に持ち上げられて遊技球が載置台41bから落下するのを制止し、同時に、第２係留片44cは載置台41bの上面より下方に下げられて遊技球の受入れを許容する。一方、第１揺動体41が揺動して図４Ｂの如く待機位置の反対側の後述する衝突位置（図２において点線Ｂ1で示す位置）に位置したときは、錘44dの重量により係留機構44は回動規制部46に当接した状態で停止する。すなわち、このとき第２係留片44cは載置台41bの上面より上方に持ち上げられて遊技球の落下を制止しつつ、第１係留片44bは載置台41bの上面より下方に下げられて遊技球の載置台41bからの飛び出しが可能となる。なお、係留機構44は上記した構造に限定されるわけではなく、第１揺動体41の揺動に応じて遊技球の載置台41bからの飛び出しを制止したり許容したりするものであればいかなる構造であっても良い。例えば回動軸を中心として第１係留片と第２係留片とによって形成される中心角度がより鋭角となるように構成し、且つ錘の位置を適宜調整することによって、衝突位置において、第１係留片を載置台41bの上面より下方に下げるのではなく、載置台41bの上面より上方の遊技球の直径よりも高い位置まで持ち上げて遊技球が当該第１係留片の下をくぐって載置台41bから飛び出るようにしても良い。
【００１８】
第１揺動部41の揺動に関して待機位置とは反対側の最揺動位置の近傍には第１衝突部51が設置されている。遊技球を受け入れた後、第１揺動体41は第１衝突部51に向けて揺動を開始する。第１揺動体41は、第１衝突部51に衝突した後、待機位置に向かって再び揺動し、待機位置に戻って揺動を終了する。ここで、第１衝突部51との衝突の際は第１揺動体41の揺動は急激に停止せしめられることになる。このとき、載置台41bに載置された状態で待機位置から運搬されてきた遊技球はその慣性によって、衝突直前の第１揺動体41の進行方向に向けて載置台41bから飛び出す。
【００１９】
載置台41bから飛び出た遊技球を受け入れるべく、第１衝突部51に関して第１揺動体41の反対側には第２案内部32が設けられている。第２案内部32は振り分け部39の第２案内部側下流から流下してきた球技球をも受け入れ可能なように構成されている。第２案内部32内若しくはその近傍には、載置台41bから飛び出した遊技球の通過、及び振り分け部39の第２案内部側下流から流下してきた球技球の通過のいずれをも検出可能な光センサ等の通過検出器82が設けられている。第２案内部32に導かれてきた遊技球は後述する待機位置にて待機中の第２揺動体に向けて案内される。
【００２０】
第２案内部32の下流には第２揺動体42が設けられており、第２案内部32を通過した遊技球は、第２揺動体42に載置される。第２揺動体42は、第１揺動体41同様、剛性を有する部材からなる長尺状の長手部材42aと、その一端に取り付けられた載置台42bとからなる。長手部材42aと載置台42bとは別々に作成された後、組み合わせられても良いし、プラスチック成型等によって一体成型されても良い。長手部材42aの他端は軸受部が形成されており、かかる軸受部に遊技盤に対して略垂直に植設されている回動軸が軸通している。これにより第２揺動体42は、第１揺動体41同様、軸受部を中心として揺動自在となる。通常の遊技状態では、第２揺動体42は第２案内部32に隣接するように左端側または右端側のいずれかの待機位置に、後述するストッパによって停止せしめられた状態になっており、よって第２案内部32によって案内された遊技球は円滑に載置台42bの上に載置される。
【００２１】
載置台42bの上面は、第１揺動体41同様、図３Ａ及びＢに示すような樋状の溝部Pや半球状のくぼみ部Q等によって凹形状に形成されているのが好ましい。これによって第２案内部32を経て送られてきた遊技球がより円滑に載置台42b上に載置され、且つ第２揺動体42の揺動によって一方から他方に運搬される間に載置台42bから落下しにくくなる。更に載置台42bには、第１揺動体41同様、待機位置にて待機中及び揺動途中においては遊技球が載置台42bから落下するのを制止しつつ後述する衝突部との衝突の際には遊技球の載置台42bからの飛び出しの障害にはならない係留機構が設けられるのが好ましい。載置台42bに設けられる係留機構は第１揺動体41の載置台41bに取り付けられている係留機構44と同様であるので、その説明は省略する。
【００２２】
第２揺動部42の揺動に関して待機位置とは反対側の最揺動位置の近傍には第２衝突部52が設置されている。遊技球を受け入れた後、第２揺動体42は第２衝突部52に向けて揺動を開始する。第２揺動体42は、第２衝突部52に衝突した後、待機位置に向かって再び揺動し、待機位置に戻って揺動を終了する。ここで、第２衝突部52との衝突の際は第２揺動体42の揺動は急激に停止せしめられることになる。このとき、載置台42bに載置された状態で待機位置から運搬されてきた遊技球はその慣性によって、衝突直前の第２揺動体42の進行方向に向けて載置台42bから飛び出す。その後、遊技球は重力の作用を受けて放物線を描いて落下する。本実施例においては、かかる放物線上の所定の位置にＶゾーン部35が設けられている。これにより、載置台42bから飛び出た遊技球は高い確率でＶゾーン35を通過してＶゾーン検出器によって検出される。その結果、遊技者に有利な特別入賞状態（いわゆる大当たり）に移行する。特別入賞状態においては、例えば、羽根21、22が複数回開閉する状態が継続し、遊技者は一度に多くの入賞球を獲得することが可能となる。
【００２３】
センター役物20の最下部には入賞口36が設けられており、開口部Ａ1、Ａ2を通過してセンター役物20内に入ったもののタイミング良く載置台41b及び載置台42bに載ることができなかった遊技球や、Ｖゾーンに向かうコースから外れてＶゾーンを通過できなかった遊技球等の一般入賞球が回収される。
【００２４】
なお、上記実施例においては、第１衝突部51や第２衝突部52は所定の位置に固定されているものとして説明を行なったが、第１衝突部51及び／または第２衝突部52は例えば一定の範囲を往復するように移動するものであっても良い。かかる構成により、第１揺動体41及び第２揺動体42と第１衝突部51及び第２衝突部52とのそれぞれの衝突の際の衝撃力が第１衝突部51及び第２衝突部52のそれぞれの位置に応じて変化するため遊技球の載置台41b及び載置台42bからの飛び出しが変化に富んだものとなる。よって、遊技内容に対して遊技者により一層興味を抱かせることが可能となる。なお、図１においては、第１衝突部51及び第２衝突部52は載置台41b及び載置台42bにそれぞれ衝突する位置に配置されているが、かかる位置に限定されるものではなく、例えば長手部材41a及び長手部材42aにそれぞれ衝突するようにしても良い。
【００２５】
第１揺動体41及び第２揺動体42には、それぞれの揺動を助成する第１助成装置61及び第２助成装置62が設けられている。第２助成装置62の構成は第１助成装置61の構成とほぼ同様であるので、以下の説明においては、第２助成装置62の説明は省略する。図５には第１助成装置61の例が示されている。図５に示す第１助成装置61は電磁ソレノイド61aと、電磁ソレノイド61aの中空部に貫挿される磁性ロッド61bとからなる。磁性ロッド61bは第１揺動体41の長手部材41aに取り付けられており、パルス送信部61cから電磁ソレノイド61aに所定のタイミングでパルスを間欠的に送信することによって、調整自在な電磁的な補助力が間欠的に付加される。かかる機構によって、機械的な接触を経由することなく第１揺動体41及び第２揺動体42の揺動を助成することが可能となる。
【００２６】
なお、第１助成装置61及び第２助成装置62は、上記の如き電磁駆動機構に限られるわけではなく、例えば載置台に設けられたバランスウェイトや、ストッパの解除に伴って載置台を押し出す押出装置などの機構によるものであっても良い。かかる押出装置の場合は、例えば、載置台が待機位置から揺動して適切な勢いで衝突部に衝突するように、ストッパの解除に伴って一回だけ助成される。この場合は、待機位置または衝突位置までの載置台の揺動を継続するためのストッパ解除後の所定の時間における助成は必要ない。また、載置台に設けられたバランスウェイトの場合は、機械的に載置台の揺動が助成されるので、制御部からの助成動作の指令が不要となる。
【００２７】
第１揺動体41及び第２揺動体42の各々の待機位置近傍には第１ストッパ71及び第２ストッパ72が設けられている。これにより、各々の待機位置において第１揺動体41及び第２揺動体42の停止状態が保たれる。第２ストッパ72の構成は第１ストッパ71の構成とほぼ同様であるので、以下の説明においては、第２ストッパ72の説明は省略する。第１ストッパ71は例えば図６に示すように、可動片71aと、これを変位させるモータ等の駆動部71bとからなる。これにより、第１揺動体41の長手部材41aに可動片71aが係合することによって第１揺動体41を待機位置に停止せしめることが可能となる。また、第１揺動体41を揺動せしめるときは、図６の点線で示す位置に可動片71aを変位させることによって、第１ストッパ71と第１揺動体41の長手部材41aとの係合が外れて第１揺動体41は揺動を開始する。
【００２８】
次に上記した第１ストッパ71及び第２ストッパ72の駆動を制御する制御部について説明する。
【００２９】
図７は本発明の実施例である遊戯装置の制御系を示すブロック図である。図７から判るように、制御部30は、各種の情報処理を行なうＣＰＵ（中央演算処理部装置）31、遊技制御プログラムや所要のデータ等を格納するＲＯＭ（書換不可記憶部）32、各種乱数や信号等の一時的データを格納するＲＡＭ（書換可能記憶部）33からなり、電源41から電力が供給されている。制御部30には各種入賞口の始動センサに応じて遊技球の払い出しを行なう払出制御装置51、ハンドル4の回動量に応じた強度で遊技球を発射する発射制御装置52、スピーカ7から出す効果音を制御する音声制御装置53、電飾装置8の点灯を制御する電飾制御装置54等が接続されている。制御部30には更に、上記した第１助成装置61のパルス送信部61c及び第２助成装置62のパルス送信部62c、並びに、通過検出器81、82、第１ストッパ71の駆動部71b及び第２ストッパ72の駆動部72bが接続されている。
【００３０】
図８には、上記した制御部30で行なわれる第１ストッパ71の駆動部71bの駆動制御のフローチャートが示されている。同様に、図９には、上記した制御部30で行なわれる第２ストッパ72の駆動部72bの駆動制御のフローチャートが示されている。すなわち、第１案内部31の近傍に設けられている光センサ等の通過検出器81によって遊技球が第１案内部31を通過したことが検知されると（ステップＳ１１）、タイマのカウントを開始して所定時間が経過すると（ステップＳ１２）、第１ストッパ71の駆動部71bに固定動作解除指令（揺動開始指令）を送って可動片71aを図６において反時計回りに回動せしめて長手部材41aとの係合を解除する（ステップＳ１３）。その後、タイマのカウントを開始して所定時間が経過すると（ステップＳ１４）、第１ストッパ71の駆動部71bに揺動停止指令を送って可動片71aを図６において時計回りに回動せしめて長手部材41aと係合せしめる（ステップＳ１５）。
【００３１】
図９に示すフローチャートは図８に示すフローチャートとほぼ同様であるので、各ステップの詳細な説明は省略する。図９に示すステップ２１、２２、２３、２４及び２５は、各々上記のステップ１１、１２、１３、１４及び１５に対応する。
【００３２】
上記したステップＳ１５、Ｓ２５における停止指令において、各々ステップＳ１４、２４のタイマを使用するのではなく、図示しないセンサによって第１揺動体41及び第２揺動体42の待機位置への戻りを各々検知することによって停止指令を発するようにしても良い。また、通過検出器81、82を設けずに、例えば羽根21、22の開閉後所定の時間経過後に駆動部71b及び駆動部72bに別々に解除指令が発せられるようにしても良い。
【００３３】
本発明の実施例のセンター役物内には、第１及び第２揺動体41、42の揺動範囲に亘って延在する有機エレクトロルミネッセンス素子等の平面光源（図示せず）を設けても良い。これにより、第１及び第２揺動体41、42が遊技盤の奥に設置されて第１及び第２揺動体41、42の動きが暗くて視認しにくくなった場合であっても、第１及び第２揺動体41、42に照明を当てることが可能になるので、明瞭に第１及び第２揺動体41、42の揺動を視認することが可能となる。また、第１及び第２揺動体41、42が揺動するタイミングにあわせてかかる平面光源を点灯させたり、色彩を変化させたりすることによってより一層演出効果を高めることが可能となる。
【００３４】
また、第１及び第２揺動体41、42を遊技盤の裏側に配置し、且つ少なくとも第１及び第２揺動体41、42の揺動範囲に対応する領域における遊技盤をガラス、アクリル樹脂等の透明な材質によって形成しても良い。図１０には、かかる代替例としてのセンター役物20'の平面図が示されており、第１及び第２揺動体41、42の揺動範囲に対応する領域において、遊技盤が透明な材質によって形成されている。図１０から判るように、羽根21、22の開放時にその部分を通り抜けてセンター役物20'内に入ってきた遊技球は、受入れ部39a'によって受け入れられた後、遊技盤の裏側に通じる孔85を経て遊技盤の裏側に設けられている分岐部39bに送られる。その後の遊技内容は図２に示すセンター役物20内で展開される遊技内容と同様であるので省略する。図１０に示すセンター役物20'においては、第１及び第２揺動体41、42の揺動範囲のみが透明な材質が嵌めこまれた楕円状の窓部37から視認できるようになっている。かかる構成により、第１及び第２揺動体41、42が揺動する動作を際立たせることが可能となるので、より一層趣興を高めることが可能となる。また、窓部37以外の領域には遊技釘、風車等の役物を設けることが可能となるので遊技領域を広く活用することが可能となる。更には、窓部37の領域であっても、適切に透明な材質を選択することによって透明な材質上に遊技釘、風車等の役物を設けることが可能となるので遊技領域を更に広く活用することが可能となる。更に、上記した平面光源を窓部37の位置に合わせて適宜配置することによって、通常の遊技状態では第１及び第２揺動体41、42がほとんど視認できないように第１及び第２揺動体41、42の設置場所を暗くしておいて、例えば第１、第２ストッパの71、72の起動信号に合わせて平面光源を点灯させて、第１及び第２揺動体41、42が揺動するときのみ第１及び第２揺動体41、42を暗闇の中で浮かび上がるように照明しても良い。これによって、より一層演出効果を高めることが可能となる。
【００３５】
上記したように、本発明においては、Vゾーンの手前に連続する２つの揺動体を設けて遊技球を当該揺動体と共に揺動してＶゾーンに向けて運搬するようにしたので、容易に飽きられることなく興味が持続する遊技内容を提供することが可能となる。
【図面の簡単な説明】
【００３６】
【図１】本発明の実施例としての遊技装置の外観正面図である。
【図２】本発明の実施例の役物の正面図である。
【図３】本発明の実施例の役物の載置台の斜視図である。
【図４】本発明の実施例の役物の係留機構の動きを説明するための斜視図である。
【図５】本発明の実施例の役物の第１助成装置の正面図である。
【図６】本発明の実施例の役物の第１ストッパの動きを説明するための平面図である。
【図７】本発明の実施例である遊技装置の制御系のブロック図である。
【図８】本発明の実施例の役物の第１ストッパの駆動ルーチンを示すフローチャートである。
【図９】本発明の実施例の役物の第２ストッパの駆動ルーチンを示すフローチャートである。
【図１０】本発明の役物の代替例の正面図である。
【符号の説明】
【００３７】
100  パチンコ機（遊技装置）
20  センター役物
21、22  羽根
31、32  第１、第２案内部
41、42  第１、第２揺動体
51、52  第１、第２衝突部
35  Ｖゾーン部
61、62  第１、第２助成装置
71、72  第１、第２ストッパ
81、82  通過検出器
90  制御部
【図１】
2008142450.tif 000003
【図２】
2008142450.tif 000004
【図３】
2008142450.tif 000005
【図４】
2008142450.tif 000006
【図５】
2008142450.tif 000007
【図６】
2008142450.tif 000008
【図７】
2008142450.tif 000009
【図８】
2008142450.tif 000010
【図９】
2008142450.tif 000011
【図１０】
2008142450.tif 000012